(57)【要約】【課題】  本発明は、印刷領域に印刷された表示が鮮明な状態のままで、この印刷領域を含むオーバーラップ領域をラベルから切り取りながら商品から剥離できるラベル付き包装体を提供する。【解決手段】  本発明のラベル付き包装体は、所望の表示が印刷された印刷領域Ａを有する第１側部領域３１、中間領域３３、及び透光部を有する第２側部領域３２が連設された基材３と、基材３の裏面に設けられた粘着部４と、を有するラベル１と、第１側部領域３１の表面に第２側部領域３２を重ね合わせたオーバーラップ領域１１を形成するようにラベル１が巻き付けられた商品と、を有し、第１側部領域３１の縁部に、商品に非接着な摘み代部５が設けられ、オーバーラップ領域１１をラベル１から切り取るため、一対の切取用補助線６１，６２が形成されており、印刷領域Ａの一部に対応する裏面には、商品に対して接着しない第１側部非接着部３１ｎが設けられている。【選択図】  図３
2012093502.tif 000002
【特許請求の範囲】
【請求項１】
所望の表示が印刷された印刷領域を有する第１側部領域、中間領域、及び透光部を有する第２側部領域がこの順で一体的に連設された基材と、前記基材の裏面に設けられた粘着部と、を有するラベルと、
前記印刷領域の表面を前記透光部にて覆い、前記第１側部領域の表面に第２側部領域を重ね合わせたオーバーラップ領域を形成するように前記ラベルが巻き付けられた商品と、を有し、
前記第１側部領域の縁部に摘み代部が設けられ、前記摘み代部の裏面は、商品に対して接着しない摘み代非接着部とされており、
前記オーバーラップ領域をラベルから切り取るため、前記摘み代部を挟んで一対の切取用補助線が形成されているラベル付き包装体であって、
前記第１側部領域の裏面のうち印刷領域の一部に対応する裏面には、商品に対して接着しない第１側部非接着部が設けられていることを特徴とするラベル付き包装体。
【請求項２】
前記第１側部非接着部が、前記摘み代非接着部に連設されており、前記第１側部非接着部が、前記摘み代非接着部から離れるに従ってその面積が小さくなる部分を有する請求項１に記載のラベル付き包装体。
【請求項３】
前記一対の切取用補助線のうちの一方が、前記第１側部領域と中間領域の間に形成された第１切取用補助線であり、且つ、前記一対の切取用補助線のうちの他方が、前記第２側部領域と中間領域の間に形成された第２切取用補助線であり、前記第２側部領域の側縁が、前記第１切取用補助線に一致又はその近傍に位置し、且つ、前記第１側部領域の側縁が、前記第２切取用補助線に一致又はその近傍に位置している請求項１または２に記載のラベル付き包装体。
【請求項４】
印刷領域を有する第１側部領域、中間領域、及び透光部を有する第２側部領域がこの順で一体的に連設された基材と、前記基材の裏面に設けられた粘着部と、を有し、
前記基材には、前記第１側部領域と中間領域の間に第１切取用補助線が形成され且つ前記第２側部領域と中間領域の間に第２切取用補助線が形成されており、
前記第１側部領域の縁部に摘み代部が設けられ、前記摘み代部の裏面は、商品に対して接着しない摘み代非接着部とされており、
前記第１側部領域の裏面のうち印刷領域の一部に対応する裏面には、商品に対して接着しない第１側部非接着部が設けられていることを特徴とする巻付けラベル。
【発明の詳細な説明】
【技術分野】
【０００１】
本発明は、商品にラベルが巻き付けられたラベル付き包装体、及び巻付けラベルに関する。
【背景技術】
【０００２】
従来、例えば、バイアル瓶、プレフィルドシリンジなどの医療用容器の周囲に、ラベルが巻き付けられたラベル付き包装体が広く用いられている。
巻付けラベルは、商品名、薬効成分、製造者名などの既定情報表示が予め印刷された基材を有し、該基材の裏面には、商品に貼付するための粘着剤が塗工されている。また、基材の表面には、ラベルを商品に巻き付ける直前に所望の表示を印刷するため、印刷領域が設けられている。前記所望の表示としては、製造年月日、消費期限、製造ロット、製造場所などのように、商品の製造時又は製造場所に応じて個々に決定される商品の固有情報表示などが挙げられる。固有情報表示を印刷した巻付けラベルを医療用容器に装着することにより、医薬品のトレーサビリティが可能となる。
【０００３】
特許文献１には、基材の第１側部領域に印刷領域が設けられ且つ基材の第２側部領域に透光部が設けられた巻付けラベルの、前記印刷領域に固有情報表示などの所望の表示を印刷した後、第１側部領域の表面に第２側部領域がオーバーラップするように巻付けラベルを容器に巻き付けたラベル付き包装体が開示されている。
この包装体のラベルの使用方法として、前記所望の表示が施された第１側部領域又は該第１側部領域と第２側部領域とからなるオーバーラップ領域を切り離し、これを別途保管することが行われる。例えば、医療用容器については、前記固有情報表示を含む所望の表示が施された第１側部領域を切り離してこれをカルテに貼付しておくと、カルテに投薬履歴を簡単に記録できる。また、医薬品に起因する疾病が数年乃至数十年後に明らかになった場合でも、カルテに貼付した固有情報表示から医薬品のトレーサビリティを行うことが可能となる。
【０００４】
この点、引用文献１には、ラベル付き包装体から、所望の表示が印刷された第１側部領域又は第１側部領域を含むオーバーラップ領域を切り離して再使用することは積極的に開示されていない。
そこで、引用文献１のラベル付き包装体からオーバーラップ領域などを切り離す方法として、カッターのような切断具を用いて切り取ることも考えられるが、一般には、ラベルの基材に切取用補助線を形成しておけば、前記切断具を用いずにオーバーラップ領域を切り離すことができる。なお、切取用補助線としては、代表的には、ミシン目線が挙げられる。
【０００５】
特許文献２には、第１側部領域に第２側部領域がオーバーラップするように巻付けラベルを容器に巻き付け、その第１側部領域と第２側部領域の間にＲＦＩＤが介装されたラベル付き包装体が開示されている。さらに、この巻付けラベルには、第１側部領域の上縁部に摘み代部が延設されている。そして、第１側部領域の両側及び第２側部領域の両側にそれぞれ左右一対のミシン目線が形成されており、この各領域の一対のミシン目線がそれぞれ重なるように、第１側部領域と第２側部領域をオーバーラップすることにより、引用文献２のラベル付き容器は構成されている。
特許文献２のラベル付き容器は、摘み代部を指で摘んで引き出すことにより、一対のミシン目線において切断できるので、第１側部領域と第２側部領域からなるオーバーラップ領域をラベルから切り離しながら商品から剥離することができる。
この特許文献２に開示された摘み代部やミシン目線を、特許文献１のラベル付き包装体に適用すれば、カッターなどの切断具を用いずに、所望の表示が印刷された第１側部領域を含むオーバーラップ領域を切り離し且つ剥離できるようになる。
【０００６】
しかしながら、摘み代部を摘み、所望の表示が印刷された第１側部領域を含むオーバーラップ領域を商品から剥離すると、前記所望の表示が不鮮明になるという問題点がある。前記所望の表示の表示形態が２次元コードなどの光学的読取り表示である場合、これが不鮮明になると、リーダーでその情報を正確に読み取ることができないことがある。
さらに、引用文献２においては、第１側部領域に形成されたミシン目線と第２側部領域に形成されたミシン目線が重なるように位置合わせしている。このように第１及び第２側部領域の各ミシン目線が上下に重なっている場合、そのミシン目線に沿って基材が綺麗に切れないおそれがある。
【先行技術文献】
【特許文献】
【０００７】
【特許文献１】特開２００８−２２９９２６号公報
【特許文献２】特開２０１０−９１６１４号公報
【発明の開示】
【発明が解決しようとする課題】
【０００８】
本発明は、所望の表示が不鮮明にならないように、所望の表示が印刷されたオーバーラップ領域をラベルから切り取りながら商品から剥離できるラベル付き包装体及び巻付けラベルを提供することを第１の課題とする。
さらに、所望の表示が印刷されたオーバーラップ領域を、切取用補助線に沿って容易に且つ確実に切り取ることができるラベル付き包装体及び巻付けラベルを提供することを第２の課題とする。
【課題を解決するための手段】
【０００９】
本発明者らは、オーバーラップ領域を剥離した後、それに印刷された所望の表示が不鮮明になる原因について鋭意研究した。
具体的には、オーバーラップ領域の裏面は、粘着剤を介して商品に貼付されているので、摘み代部を摘んでオーバーラップ領域を引き出すと、摘み代部の近傍に、この領域の粘着剤の面と容器とが剥がれ始める剥離点（実際には、剥離点は線状に延びている）が生じる。この剥離点がオーバーラップ領域の剥離方向に進行していくことによって、前記領域の剥離が進んでいく。この剥離進行中において、オーバーラップ領域の基材は、外側へ引っ張られている一方で粘着剤によって商品に貼り付いているので、剥離点において僅かに伸張する。この剥離点が進行すると、前記僅かに伸張した部分が元に戻る。このように剥離点の進行に伴い、前記基材の伸張と復元が繰り返されていく。所望の表示は、基材上に固着された所定色の薄いインキ固化層で構成されているため、インキ固化層も前記基材に追従して、僅かな伸張と復元を繰り返す。伸張したインキ固化層が復元する過程で、その一部が脱落し、その結果、所望の表示が不鮮明になると推定される。また、所望の表示は、２層以上のインキ固化層で構成される場合もあり、その場合には、外側のインキ固化層の一部が内側のインキ固化層の中に埋没したり、或いは、内側のインキ固化層の色素成分の一部が外側のインキ固化層に混じり、その結果、所望の表示が不鮮明になると推定される。
かかる知見の下、本発明者は、下記の手段によって上記課題を解決することを見出した。
【００１０】
本発明のラベル付き包装体は、所望の表示が印刷された印刷領域を有する第１側部領域、中間領域、及び透光部を有する第２側部領域がこの順で一体的に連設された基材と、前記基材の裏面に設けられた粘着部と、を有するラベルと、前記印刷領域の表面を前記透光部にて覆い、前記第１側部領域の表面に第２側部領域を重ね合わせたオーバーラップ領域を形成するように前記ラベルが巻き付けられた商品と、を有し、前記第１側部領域の縁部に摘み代部が設けられ、前記摘み代部の裏面は、商品に対して接着しない摘み代非接着部とされており、前記オーバーラップ領域をラベルから切り取るため、前記摘み代部を挟んで一対の切取用補助線が形成されており、前記第１側部領域の裏面のうち印刷領域の一部に対応する裏面には、商品に対して接着しない第１側部非接着部が設けられているラベル付き包装体を提供する。
【００１１】
上記ラベル付き包装体は、摘み代部を摘んで引き出すと、第１切取用補助線及び第２切取用補助線において基材が切れていき、オーバーラップ領域をラベルから切り取り、容器から剥がすことができる。
前記第１側部領域のうち、容器に接着していない第１側部非接着部が設けられた範囲は、摘み代部を引張る力によって殆ど伸張せず、容器から簡単に離れる。従って、剥離が進行する過程で、第１側部非接着部が設けられた範囲は、伸張と復元を繰り返さず、オーバーラップ領域を切取り且つ剥離するときに、第１側部非接着部に対応する印刷領域に印刷された表示が不鮮明になることを防止できる。
【００１２】
本発明の好ましいラベル付き包装体は、前記第１側部非接着部が、前記摘み代非接着部に連設されており、前記第１側部非接着部が、前記摘み代非接着部から離れるに従ってその面積が小さくなる部分を有する。
この好ましいラベル付き包装体は、第１側部非接着部が摘み代非接着部に連設されているので、摘み代部を摘んで引き出す当初における剥離抵抗が小さくなり、オーバーラップ領域を容器から剥離できる。
更に摘み代部を引き出していくと、第１側部領域と容器の剥離点が、摘み代部から離れる方向に進んでいく。上記好ましいラベル付き包装体は、第１側部非接着部が摘み代非接着部から離れるに従ってその面積が小さくなる部分を有するので、第１側部非接着部と粘着部の境界線が前記剥離点の進行方向に対して略直交せず、その境界線において急激に剥離し難くなることを防止できる。
【００１３】
本発明の好ましいラベル付き包装体は、前記一対の切取用補助線のうちの一方が、前記第１側部領域と中間領域の間に形成された第１切取用補助線であり、且つ、前記一対の切取用補助線のうちの他方が、前記第２側部領域と中間領域の間に形成された第２切取用補助線であり、前記第２側部領域の側縁が、前記第１切取用補助線に一致又はその近傍に位置し、且つ、前記第１側部領域の側縁が、前記第２切取用補助線に一致又はその近傍に位置している。
上記好ましいラベル付き包装体は、第１切取用補助線及び第２切取用補助線に沿ってオーバーラップ領域をラベルから確実に切り取ることができ、さらに、第１切取用補助線及び第２切取用補助線に沿ってオーバーラップ領域をラベルから容易に切り取ることができる。
【００１４】
本発明の別の局面によれば、巻付けラベルを提供する。
この巻付けラベルは、印刷領域を有する第１側部領域、中間領域、及び透光部を有する第２側部領域がこの順で一体的に連設された基材と、前記基材の裏面に設けられた粘着部と、を有し、前記基材には、前記第１側部領域と中間領域の間に第１切取用補助線が形成され且つ前記第２側部領域と中間領域の間に第２切取用補助線が形成されており、前記第１側部領域の縁部に摘み代部が設けられ、前記摘み代部の裏面は、商品に対して接着しない摘み代非接着部とされており、前記第１側部領域の裏面のうち印刷領域の一部に対応する裏面には、商品に対して接着しない第１側部非接着部が設けられている。
好ましくは、前記第１側部領域の裏面のうち前記第１側部非接着部以外に、粘着部が設けられている。
【発明の効果】
【００１５】
本発明のラベル付き包装体は、所望の表示が印刷されたオーバーラップ領域をラベルから切り取り且つ商品から剥離できる。オーバーラップ領域を剥離した後、その印刷領域に印刷された所望の表示は不鮮明にならず、人的及び機械的にその表示を読み取ることができる。
また、本発明の巻付けラベルは、上記ラベル付き包装体を構成するラベルとして好適である。
【図面の簡単な説明】
【００１６】
【図１】本発明のラベル付き包装体の正面図。
【図２】同左側面図。
【図３】図１のＩＩＩ−ＩＩＩ線で水平に切断した要部拡大断面図。
【図４】図１のＩＶ−ＩＶ線で水平に切断した要部拡大断面図。
【図５】本発明の巻付けラベルの表面側から見た平面図。
【図６】同巻付けラベルの裏面側から見た背面図。
【図７】図５のＶＩＩ−ＶＩＩ線断面図。
【図８】巻付けラベルの粘着部及び非接着部の形成方法の変形例を示す図５のＶＩＩ−ＶＩＩ線と同様な箇所で切断した断面図。
【図９】本発明の他の実施形態に係る巻付けラベルの平面図。
【図１０】本発明の更なる他の実施形態に係る巻付けラベルの平面図。
【図１１】本発明の他の実施形態に係るラベル付き包装体の断面図であって、図１のＩＶ−ＩＶ線と同様な箇所で切断した断面図。
【図１２】本発明の更なる他の実施形態に係る巻付けラベルの背面図。
【発明を実施するための形態】
【００１７】
以下、本発明について、図面を参照しつつ具体的に説明する。
ただし、各図において、外部から見えなくなった部分を示すための隠れ線を細い破線で表し、この隠れ線と見分けるようにするため、切取用補助線を短い点線で表し、外部から見えなくたった切取用補助線を示すための隠れ線を細く且つ短い点線で表している。さらに、特定印刷領域を含む印刷領域が設けられた範囲を一点鎖線で表している。
なお、各領域に印刷された又は印刷され得る所望の表示及び既定の表示は、図示しない。
また、巻付けラベルの背面図において、粘着部が設けられた範囲を便宜上無数の点集合で表している。
【００１８】
図１乃至図４に於いて、１０は、商品２と、この商品２の周囲に巻き付けられた巻付けラベル１と、を有するラベル付き包装体を示す。
この巻付けラベル１は、その第１側部領域３１の上に第２側部領域３２を重ね合わして商品２に巻き付けられている。第１側部領域３１と第２側部領域３２が重ね合わされた２重部分をオーバーラップ領域１１という。
オーバーラップ領域１１において、第１側部領域３１に設けられた印刷領域Ａに印刷された所望の表示は、第２側部領域３２に設けられた透光部によって覆われている。
以下、各構成部材について具体的に説明する。
【００１９】
＜商品について＞
本発明のラベル付き包装体１０は、任意の商品に巻き付けてラベル１を装着することにより得られる。
商品は、巻付けラベル１を装着できるものであれば特に限定されない。商品としては、医療品容器、化粧品容器、お菓子などの食品容器、飲料容器などの所望の物を入れた容器などが挙げられる。特に、商品の製造年月日、消費期限及び製造場所から選ばれる少なくとも１つの情報についての表示義務がある商品に本発明を適用することが好ましい。もっとも、前記製造年月日などの情報についての表示義務のない商品に本発明を適用してもよい。
【００２０】
ここで、本明細書において、所望の表示とは、商品の製造時又は製造場所などに応じて変化する情報を含む表示をいう。所望の表示としては、例えば、製造年月日、消費期限、製造ロット、製造場所、商品名などのように、製造される商品の固有情報を含む表示などが挙げられる。所望の表示は、商品の製造年月日、消費期限及び製造場所から選ばれる少なくとも１つの情報を含む表示を含むことが好ましい。
所望の表示を印刷した巻付けラベル１を商品に装着することにより、その商品のトレーサビリティが可能となる。
【００２１】
この所望の表示の表示形態は、その内容を人間が理解できるような文字や記号からなる人的読取り表示、及び、その内容を機械（リーダー）のみが光学的に読み取ることができる光学的読取り表示、の少なくとも何れか一方の表示形態を含む。光学的読取り表示は、代表的には、バーコードや２次元コードが挙げられる。
既定の表示とは、商品名、薬効成分、製造者名などの既定情報表示などが挙げられる。なお、実際の使用例にあっては、所望の表示と既定の表示の内容は、一部が一致する場合もある。例えば、既定の表示として印刷された商品名や製造者名等が、所望の表示として印刷領域Ａに印刷される場合がある。
【００２２】
商品が内容物を入れた容器である場合、容器２は、一般的に、載置するための底部２１と、底部２１の上方に一体的に形成された胴部２２と、胴部２２の上方に一体的に形成され且つ胴部２２の外形よりも小径な外形を有する首部２３と、首部２３の上端部によって囲われた部分である開口部（図示せず）と、この開口部を開閉するための蓋部２４と、を有する。以下、巻付けラベル１が装着される商品として容器２を用いた場合を中心に説明するが、本発明のラベル付き包装体の商品は、容器に限定されない。
なお、用いられる容器は、底部が載置できないような形状に形成されている容器、首部を有しない容器、蓋部が開閉可能に取り付けられていない容器などでもよい。
容器２が医療用容器である場合、その具体例としては、例えば、バイアル瓶、プレフィルドシリンジ、真空採血管、アンプルなどが挙げられる。なお、図示例は、バイアル瓶である。
【００２３】
バイアル瓶のような容器は、略平坦状の（又はその中央部が上方に凹んだ底上げ型の）底部と、底部の上方に一体的に形成された略円筒状の胴部と、胴部の上方に一体的に形成され且つ胴部の直径よりも小さい直径の略円筒状であって上方に向かうに従って徐々に縮径している部分を有する首部と、首部の上端部によって囲われた部分である開口部と、この開口部を閉塞するために嵌着された蓋部と、を有する。バイアル瓶の収納部内には、内容物として医薬品が封入されている。
【００２４】
容器２は、例えば、合成樹脂、ガラスなどで形成されている。医療用容器は、封入された医薬品を外部から透視できるようにすることが好ましいことから、透光性を有する材質で形成されている。もっとも、光劣化しうる医薬品を封入する場合には、医療用容器は、遮光性を有する材質で形成されていることが好ましい。
【００２５】
＜巻付けラベルについて＞
図４乃至図７に示すように、巻付けラベル１は、大略して、ラベル１を構成する基材３と、その基材３の裏面に設けられた粘着部４と、を有する。
基材３は、印刷領域Ａを有する第１側部領域３１と、中間領域３３と、透光部を有する第２側部領域３２と、を有し、これらがこの順で一体的に連設されている。透光部は、透光性を有する部分である。
また、第１側部領域３１の縁部には、上方に突出する舌状の摘み代部５が延設されている。この摘み代部５は、第１側部領域３１の上縁部３１Ｔから上方に延設されており、摘み代部５の一方縁５ａが第１側部領域３１の側縁３１ａに一致している。
なお、図示においては、摘み代部５は、第１側部領域３１の上縁部３１Ｔから上方に延設されているが、これと反対に、摘み代部５は、第１側部領域３１の下縁部３１Ｌから下方に延設されていてもよい。摘み代部５が、第１側部領域３１の下縁部３１Ｌから下方に延設されている場合、それに応じて後述する第１側部非接着部３１ｎも上下反対に設けられる。
【００２６】
基材３の形状は特に限定されないが、通常、平面視略矩形状に形成される。基材３の横方向（巻き付けた際に容器の周方向）及び縦方向（前記横方向と基材の面内で直交する方向）の長さは、装着される容器２の形状に応じて適宜設計される。
本発明の巻付けラベル１は、容器２に巻き付けた際に、ラベル１の第１側部領域３１の表面に第２側部領域３２を重ね合わせて貼り付けるオーバーラップタイプのラベルである。このため、基材３の横方向の長さは、ラベル１を容器２の周囲に巻き付けた際に、第１側部領域３１の印刷領域Ａの表面を第２側部領域３２の透光部にて覆い、且つ、第１側部領域３１の表面に第２側部領域３２が重なるような長さに設計する必要がある。好ましくは、基材３の横方向の長さは、ラベル１を容器２の周囲に巻き付けた際に、前記第１側部領域３１の側縁３１ａが後述する第２切取用補助線６２に一致若しくはその近傍に位置する、又は、第２側部領域３２の側縁３２ａが後述する第１切取用補助線６１に一致若しくはその近傍に位置するような長さに設定される。より好ましくは、基材３の横方向の長さは、ラベル１を容器２の周囲に巻き付けた際に、第１側部領域３１の側縁３１ａが後述する第２切取用補助線６２に一致又はその近傍に位置し且つ第２側部領域３２の側縁３２ａが後述する第１切取用補助線６１に一致又はその近傍に位置するような長さに設定される。
【００２７】
従って、基材３の横方向の長さは、容器２の胴部２２の周長よりも長い。もっとも、余りに長いと、ラベル１が容器２に２重以上に巻き付く事態も生じるので、好ましくは、基材３の横方向の長さは、容器２の周長の１．１倍〜２．０倍程度、好ましくは同１．１倍〜１．５倍程度に設計される。
なお、基材３の横方向の長さは、第１側部領域３１の側縁３１ａから第２側部領域３２の側縁３２ａまでの長さをいう。
【００２８】
基材３の材質は特に限定されないが、少なくとも第２側部領域３２に透光部を設ける必要性があることから、透光性を有する合成樹脂シートを含むシートが好ましい。本実施形態では、基材３として、透光性を有する１枚の合成樹脂シートが用いられている。但し、基材３を２種のシートで構成することもできる。例えば、第２側部領域３２の透光部を透光性を有する合成樹脂シートで構成し、基材３の他の領域を、紙、合成紙などの非透光性シートで構成することもできる。
【００２９】
ここで、本明細書において透光性とは、光を通すことができる性質を言うが、特に、透光部における透光性とは、第２側部領域３２の透光部の上から、少なくとも印刷領域Ａに印刷された所望の表示を人及びリーダーが読み取ることができるように光を透過させることができる性質をいう。
透光部を構成する部材（例えば、上記透光性を有するシートなど）は、無色透明でもよいし、有色透明でもよいが、好ましくは無色透明である。透光部を構成する部材には、ラベル１を構成する基材３や粘着剤などが含まれる。無色透明な部材は、全可視光を透過させるものをいい、有色透明な部材は、可視光の一部の波長の光を吸収するものをいう。無色透明又は有色透明の何れの場合でも、部材の表面側から見て部材の裏面側に存する所望の表示を認識できる。
【００３０】
透光性を有する合成樹脂シートの材質は、特に限定されず、ポリエチレンテレフタレートなどのポリエステル系、ポリプロピレンなどのポリオレフィン系、ポリスチレン系、ポリアミド系、ポリ塩化ビニル系、及び混合ポリマーなどが挙げられる。合成樹脂シートは、１層構造でもよいし、２層以上の積層構造でもよい。また、透光性を損ねない範囲で、合成樹脂シートに艶消し処理が施されていてもよい。艶消し処理としては、マット印刷が挙げられる。艶消し処理が施された合成樹脂シートは、その表面において光が散乱するので、印刷領域Ａに光学的読取り表示を印刷した場合には、その表示をリーダーが誤って読み取ることを防止できる。
透光部又は透光性のシートからなる基材３の透光性の度合いは、好ましくはヘイズ値３０％以下である。なお、ヘイズ値は、ＪＩＳ  Ｋ  ７１０５に準じた方法で測定できる。
【００３１】
基材３の裏面には、摘み代部５の裏面及び後述する第１側部非接着部３１ｎを除いて、粘着部４が設けられている。従って、摘み代部５の裏面及び第１側部非接着部３１ｎは、容器２に対して接着しない非接着部とされている。本明細書において、摘み代部５の非接着部を、摘み代非接着部５ｎという。
【００３２】
粘着部４は、その表面において容器２に対して剥離可能に接着する部分である。
粘着部４及び非接着部５ｎ，３１ｎの形成方法は、従来公知の方法を採用できる。
１つの方法は、例えば、図７に示すように、摘み代部５の裏面及び第１側部非接着部３１ｎの形成予定部分を除いて、基材３の裏面に粘着剤４１を塗布する方法である。この方法によれば、粘着剤４１の塗布部分が粘着部４となり、粘着剤４１の非塗布部分が摘み代非接着部５ｎ及び第１側部非接着部３１ｎとなる。
他の方法は、例えば、図８に示すように、摘み代部５を含む基材３の裏面全体に粘着剤４１を塗布し、摘み代部５の裏面及び第１側部非接着部３１ｎの形成予定部分のみに、前記粘着剤４１の粘着力を隠蔽するマスキング層４２を積層する方法である。この方法によれば、粘着剤４１の露出が粘着部４となり、マスキング層４２が設けられた部分が摘み代非接着部５ｎ及び第１側部非接着部３１ｎとなる。
一般的には、後者の方法が採用される場合が多いが、図３及び図４においては、層構成の描写が簡易であるという理由から、前者の方法で粘着部４及び非接着部５ｎ，３１ｎを形成した場合を表している。
【００３３】
上記粘着剤は、粘着力を以て物に貼付でき、物に貼付した後にその物と粘着剤の界面で剥離でき且つ再貼付可能なものであれば特に限定されない。粘着剤としては、感圧型粘着剤、感熱性粘着剤などが挙げられる。感圧型粘着剤は、常温で粘着性を示し且つその粘着力が持続するものであり、体表的には、剥離可能で且つ再貼付可能な粘着テープに用いられている粘着剤が例示できる。感熱性粘着剤は、常温で粘着性を示さず、所定温度（例えば、７０℃〜１２０℃程度）に加熱することで粘着性を発現し、その粘着力が持続するものである。
第２側部領域３２を第１側部領域３１に重ね合わせた際に、第１側部領域３１の印刷領域Ａに施された所望の表示を透視できるようにするために、透光部としての透光性を有する粘着剤が用いられ、好ましくは、無色透明の粘着剤が用いられる。
【００３４】
基材３の中間領域３３は、容器２に直接に貼付される。この中間領域３３には、既定の表示が印刷されている。この既定の表示は、ラベル１の製造時に中間領域３３などに予め印刷されているものであり、例えば、フレキソ印刷、凸版輪転印刷、グラビア印刷法などの従来公知の印刷法によって印刷されている。
【００３５】
第１側部領域３１には、印刷領域Ａが設けられている。この印刷領域Ａは、文字や記号などの所望の表示を印刷できる部分である。この所望の表示は、巻付けラベル１の製造時には印刷されておらず、その製造後でラベル１を容器２に巻き付ける前に印刷領域Ａに印刷される。従って、ラベル１の製造時には、印刷領域Ａには所望の表示が印刷されていないが、所望の表示を印刷するための部分を残して印刷領域Ａに既定の表示が印刷されていてもよい。
印刷領域Ａの位置や面積は、適宜設計される。印刷領域Ａは、第１側部領域３１の略全体に設けられていてもよいし、その一部の範囲に設けられていてもよい。好ましくは印刷領域Ａは、第１側部領域３１の縁部（摘み代部５が延設された縁部）を含んだ範囲に設けられ、より好ましくは印刷領域Ａは、第１側部領域３１の略全体に設けられる。
【００３６】
所望の表示を際立たせる又は良好にインキを塗着させるため、印刷領域Ａを設ける範囲に対応する基材３の表面には、図７に示すように、下地層３４が設けられていることが好ましい。下地層３４としては、例えば、塗工料をベタ状に塗工したコート層；白色インキをベタ状に塗工した白色のインキ固化層、銀色インキをベタ状に塗工した銀色のインキ固化層などの単一色のインキ固化層；などが挙げられる。特に、所望の表示が光学的読取り表示を含む場合、この下地層が設けられていることによって、リーダーによる読み取りミスを防止できる。
もっとも、基材３の材質に応じて、所望の表示は、基材３の表面に直接印刷することもできる。それ故、第１側部領域３１の表面に上記下地層３４を設けずに、第１側部領域３１の表面をそのまま印刷領域Ａとすることもできる。
【００３７】
第１側部領域３１の裏面のうち、印刷領域Ａの一部に対応する裏面には、粘着剤４１が塗布されていない（又は塗布された粘着剤４１の粘着力を隠蔽するマスキング層４２が形成されている）。従って、印刷領域Ａの一部に対応する裏面は、容器２に対して接着しない非接着部とされている。本明細書において、この非接着部を第１側部非接着部３１ｎという。
【００３８】
第１側部非接着部３１ｎは、第１側部領域３１の裏面全体には設けられておらず、第１側部領域３１の裏面の一部分に設けられている。第１側部領域３１の裏面全体が非接着部とされていると、巻付けラベル１を容器２に巻き付ける当初に、第１側部領域３１を容器２に貼付できず、ラベル１の容器２に対する装着が極めて困難となる。
従って、第１側部領域３１の裏面のうち印刷領域Ａの一部に対応する裏面に、第１側部非接着部３１ｎが設けられている。以下、第１側部非接着部３１ｎが設けられた範囲に対応する印刷領域（つまり、前述の印刷領域Ａの一部）を、特定印刷領域Ｂという場合がある。
【００３９】
具体的には、上記第１側部非接着部３１ｎは、摘み代非接着部５ｎに連なって設けられており、摘み代部５の延出方向（本実施形態では上方）と反対方向（同下方）に拡がっている。また、第１側部非接着部３１ｎは、摘み代非接着部５ｎから離れるに従って第１側部非接着部３１ｎの面積が小さくなっていく部分を有する。
より具体的には、第１側部非接着部３１ｎは、摘み代非接着部５ｎに連設されていると共に、摘み代部５の幅と略同幅で且つ第１側部領域３１の側縁３１ａの上方部を含んで摘み代部５の延出方向と反対方向に拡がる平面視略矩形状範囲Ｃと、この略矩形状範囲に連設され且つ摘み代部５の延出方向と反対方向に向かうに従って小さくなる平面視略三角形状範囲Ｄと、からなる（図４参照）。
【００４０】
第２側部領域３２には、透光性を有する透光部が設けられている。透光部は、ラベル１を容器２に巻き付けた際、上記印刷領域Ａに印刷された所望の表示を覆う部分である。巻付けラベル１は、第１側部領域３１の表面に第２側部領域３２が重なるように商品に巻き付けた際に、印刷領域Ａの表面を透光部によって覆うことができるものである。
本実施形態では、基材３として透光性を有する合成樹脂シートを用いているので、第２側部領域３２の全体が透光性を有する。透光部には、透光性を阻害するような文字や絵柄などの印刷が実質的に施されていないことが好ましい。
【００４１】
さらに、基材３の面内には、基材３の上縁部３１Ｔから下縁部３１Ｌに延びる切取用補助線６１，６２が一対形成されている。切取用補助線６１，６２は、基材３を切り取り易くするため、基材３を分断する方向に延びる線であり、基材３を完全に切断した線ではない。
本実施形態では、第１側部領域３１と中間領域３３の間において縦方向に延び、好ましくは縦方向に平行に延びる切取用補助線６１が形成されている。また、第２側部領域３２と中間領域３３の間において縦方向に平行に延び、好ましくは縦方向に平行に延びる切取用補助線６２が形成されている。以下、第１側部領域３１と中間領域３３の間の切取用補助線を、第１切取用補助線６１といい、第２側部領域３２と中間領域３３の間の切取用補助線を、第２切取用補助線６２という。
【００４２】
第１及び第２切取用補助線６１，６２としては、ミシン目線、ハーフカット線などが挙げられるが、切取用補助線に沿って基材３が切れやすいことから、ミシン目線が好ましい。
ミシン目線とは、ミシン針の縫い跡の如く基材３の表裏面に貫通する貫通孔部が一方向に断続的に形成された線を意味する。かかるミシン目線は、隣接する貫通孔部の間に、非貫通部（貫通処理のなされていない部分）が存在する。１つの貫通孔部の正面視形状は、細長い直線状、針穴状（円形孔又は楕円形孔）などが挙げられる。前記ミシン目線の貫通孔部の長さは、例えば、０．３ｍｍ〜１．５ｍｍであり、ミシン目線の非貫通部の長さは、例えば、０．３ｍｍ〜１．５ｍｍである。
【００４３】
＜ラベル付き包装体及びその作製方法について＞
上記巻付けラベル１を商品に装着してラベル付き包装体１０を得る工程は、特開２００８−２２９９２６号と略同じであるので、詳しくはその公報を参照されたい。
もっとも、本発明のラベル１と前記公報に開示のラベルとは異なっているため、本発明の巻付けラベル１に特有な事項を中心に、以下、本発明のラベル付き包装体１０の作製方法を簡単に説明する。
【００４４】
本発明の巻付けラベル１を製造した後、これを容器２の胴部に巻き付ける。本発明の巻付けラベル１も、上記公報に開示と同様に、通常、複数の巻付けラベル１が繋がり且つそれが長尺状の離型紙上に仮貼付されたラベル連続体の態様で提供される。この複数の巻付けラベル１は、印刷領域Ａが未印刷な第１側部領域３１と、既定の表示印刷済みの中間領域と、透光部を有する第２側部領域３２と、を有する。
そして、巻付けラベル１を容器２に巻き付ける前に、第１側部領域３１の印刷領域Ａに、所望の表示を印刷する。印刷による表示は、通常、インキを印刷領域Ａに固定することによって、その領域に形成されたインキ固化層から構成される。
【００４５】
印刷領域Ａに印刷される所望の表示の内容は、特に限定されないが、上述のように商品の製造年月日、消費期限及び製造場所から選ばれる少なくとも１つの情報を含む表示を含むことが好ましい。特に、特定印刷領域Ｂに印刷される表示の表示形態は、光学的読取り表示を含むことが好ましい。例えば、特定印刷領域Ｂに少なくとも光学的読取り表示を印刷し、特定印刷領域以外の印刷領域Ａに人的読取り表示を印刷する。
光学的読取り表示は、情報内容をリーダーを用いて機械的に読み取ることができる表示であって、例えば、バーコードや２次元コードなどが挙げられる。２次元コードとしては、例えば、ＲＳＳコードなどのスタック式コード、ＱＲコードなどのマトリックス式コードなどが挙げられる。
【００４６】
本発明によれば、オーバーラップ領域１１を剥離したときに、第１側部非接着部３１ｎに対応する特定印刷領域Ｂに印刷された表示が不鮮明になることを防止できる。このため、この特定印刷領域Ｂに光学的読取り表示を印刷しておくことにより、リーダーがその表示を読み取ることができない又はその表示を誤って読み取ることを防止できる。
【００４７】
印刷領域Ａへの印刷方式は、商品の小ロット単位の製造にオンデマンド的に対応でき、且つ鮮明に印刷できることから、インクジェット式プリンター、熱転写型インクリボン式プリンター、レーザープリンターなどを用いることが好ましい。
【００４８】
所望の表示は、商品の製造時又は製造場所などに応じて変化する情報を含むので、その印刷は、ラベル１を容器２に巻き付ける直前に行われることが好ましい。この直前とは、通常、機械的製造によって商品が製造される過程に於いて、ラベルの製造後で且つラベル１が巻き付けられる前の何れかの時点を意味する。例えば、（ａ）ラベル１の印刷領域Ａに所望の表示を印刷したラベル１をラベラーに装填しておき、その後、内容物を封入して商品を製造し、この商品に前記印刷済みのラベル１を巻き付けてもよいし、（ｂ）ラベル１をラベラーに装填し、印刷領域Ａに所望の表示を印刷する工程と同時並行的に内容物を封入して商品を製造し、この商品に前記印刷済みのラベル１を巻き付けてもよいし、或いは、（ｃ）内容物を封入して商品を製造した後、その製造ラインの下流側に設けられたラベラーを用いてラベル１の印刷領域Ａに所望の表示を印刷し、それを商品に巻き付けてもよい。
【００４９】
印刷済みの巻付けラベル１は、通常、ラベラーを用いて容器２に装着される。
まず、巻付けラベル１の第１側部領域３１の裏面の一部分に設けられた粘着部４を、容器２の胴部に貼り付け、その容器２をその周方向に回転させる。これによって、巻付けラベル１の中間領域３３が容器２の胴部に貼り付き、さらに、第２側部領域３２の裏面全体に設けられた粘着部４が第１側部領域３１の表面に貼り付く。
【００５０】
得られたラベル付き包装体１０は、図１乃至図４に示すように、容器２の胴部の周囲に、第１側部領域３１及び中間領域３３が粘着部４を介して直接貼り付けられ、この第１側部領域３１の表面全体を覆って第２側部領域３２が粘着部４を介して貼り付けられている。従って、ラベル付き包装体１０には、第１側部領域３１に第２側部領域３２が重なった二重基材部分であるオーバーラップ領域１１が形成されている。ただし、第１側部領域３１の裏面のうち第１側部非接着部３１ｎは容器２に接着していない。
【００５１】
また、第２側部領域３２の全体が粘着部４を介して第１側部領域３１に貼付されているので、第１側部領域３１の印刷領域Ａに印刷された表示を、第２側部領域３２によって保護できる。さらに、第２側部領域３２の透光部が第１側部領域３１の印刷領域Ａの表面に重なっているので、印刷領域Ａに印刷された表示を人間が視認でき、又、リーダーを用いてこの表示を読み取ることができる。
【００５２】
上記ラベル付き包装体１０においては、第１側部領域３１の上縁部３１Ｔに延設された摘み代部５が、重ねられた第２側部領域３２によって覆われておらず、又、摘み代非接着部５ｎが設けられているので、摘み代部５は容器２に接着していない。また、摘み代部５は、容器２の首部２３に対向して配置されている。従って、摘み代部５の端部と容器２の首部２３の間には隙間が存在するので、摘み代部５を簡単に摘むことができる。
【００５３】
上記ラベル付き包装体１０においては、摘み代部５を挟んだ位置であってオーバーラップ領域１１の両側に、第１切取用補助線６１及び第２切取用補助線６２がほぼ位置している。そして、第１側部領域３１の側縁３１ａが、前記第２切取用補助線６２に一致又はその近傍に位置し、且つ、第２側部領域３２の側縁３２ａが、前記第１切取用補助線６１に一致又はその近傍に位置して、第１側部領域３１と第２側部領域３２が重ねられている。
【００５４】
この第１側部領域３１の側縁３１ａが、第２切取用補助線６２の近傍に位置する場合とは、（ａ）第１側部領域３１の側縁３１ａが第２切取用補助線６２の近傍に位置し且つ第２切取用補助線６２がオーバーラップ領域１１に含まれていない場合、又は、（ｂ）第１側部領域３１の側縁３１ａが第２切取用補助線６２の近傍に位置し且つ第２切取用補助線６２がオーバーラップ領域１１に含まれている場合の何れかであるが、その何れでもよい。前記（ｂ）の場合には、第２切取用補助線６２に第１側部領域３１が僅かに重なるが、僅かに重なっていてもオーバーラップ領域１１の切り取りにとって支障はない。
もっとも、前記（ａ）のように、第１側部領域３１の側縁３１ａが第２切取用補助線６２の近傍に位置し且つ第２切取用補助線６２がオーバーラップ領域１１に含まれていないことが好ましい。
【００５５】
同様に、第２側部領域３２の側縁３２ａが、前記第１切取用補助線６１の近傍に位置する場合とは、（ｃ）第２側部領域３２の側縁３２ａが第１切取用補助線６１の近傍に位置し且つ第１切取用補助線６１がオーバーラップ領域１１に含まれていない場合、又は、（ｄ）第２側部領域３２の側縁３２ａが第１切取用補助線６１の近傍に位置し且つ第１切取用補助線６１がオーバーラップ領域１１に含まれている場合の何れかであるが、その何れでもよい。前記（ｄ）の場合には、第１切取用補助線６１に第２側部領域３２が僅かに重なるが、僅かに重なっていてもオーバーラップ領域１１の切り取りに支障はない。
もっとも、前記（ｃ）のように、第２側部領域３２の側縁３２ａが第１切取用補助線６１の近傍に位置し且つ第１切取用補助線６１がオーバーラップ領域１１に含まれていないことが好ましい。
なお、前記近傍とは、例えば、第１側部領域３１の側縁３１ａと第２切取用補助線６２の間隔及び第２側部領域３２の側縁３２ａと第１切取用補助線６１の間隔が、２ｍｍ以下であり、好ましくは１ｍｍ以下である。
【００５６】
本発明のラベル付き包装体１０は、摘み代部５を摘んで引き出すと、第１切取用補助線６１及び第２切取用補助線６２において基材３が切れていき、オーバーラップ領域１１をラベル１から切り取り、容器２から剥がすことができる。
第１側部領域３１には容器２に接着していない第１側部非接着部３１ｎが設けられている。このため、摘み代部５を引き出すと、第１側部領域３１のうち、容器２に接着していない第１側部非接着部３１ｎが設けられた範囲は、摘み代部５を引張る力と容器２との間で殆ど伸張せず、容器２から簡単に離れる。従って、剥離が進行する過程で、第１側部非接着部３１ｎが設けられた範囲は、伸張と復元を繰り返さないので、第１側部非接着部３１ｎに対応する印刷領域Ａに印刷された表示が不鮮明にならない。
【００５７】
また、第１側部非接着部３１ｎは摘み代非接着部５ｎに連設されているので、摘み代部５を摘んで引き出す当初における剥離抵抗が小さく、容易にオーバーラップ領域１１を容器２から剥離できる。
そして、摘み代部５を引き出していくと、第１側部領域３１と容器２の剥離点が、摘み代部５から離れる方向（延出されている摘み代部５の場合には、この延出方向と反対方向）に進んでいく。その剥離点が、第１側部領域３１の裏面のうち第１側部非接着部３１ｎと粘着部４の境界線に至ると、粘着部４が容器２に貼り付いていることから、急激に剥離し難くなる。この点、第１側部非接着部３１ｎは、摘み代非接着部５ｎから離れるに従ってその面積が小さくなる部分を有するので、第１側部非接着部３１ｎと粘着部４の境界線が前記剥離点の進行方向に対して略直交せず、その境界線において急激に剥離し難くなることを防止できる。
【００５８】
また、上記ラベル付き包装体１０においては、第１側部領域３１の側縁３１ａが第２切取用補助線６２に一致又はその近傍に位置し且つ第２側部領域３２の側縁３２ａが第１切取用補助線６１に一致又はその近傍に位置しているので、第１切取用補助線６１及び第２切取用補助線６２に沿ってオーバーラップ領域１１を中間領域３３から確実に切り取ることができる。さらに、第１切取用補助線６１上に第２側部領域３２が重なっておらず且つ第１側部領域３１の面内に第２切取用補助線６２が重なっていないので、第１切取用補助線６１及び第２切取用補助線６２に沿ってオーバーラップ領域１１を中間領域３３から容易に切り取ることができる。
【００５９】
＜本発明の他の実施形態＞
次に、本発明のラベル付き包装体又は巻付けラベルの他の実施形態を説明する。ただし、下記他の実施形態の説明に於いて、主として上記実施形態と異なる構成及び効果について説明し、上記実施形態と同様の構成などについては、その説明を省略し、用語及び符号を援用する。
【００６０】
上記実施形態の巻付けラベル１においては、摘み代部５の一方縁５ａが第１側部領域３１の側縁３１ａに一致しているが、図９に示すように、摘み代部５が、第１側部領域３１の側縁３１ａと第１切取用補助線６１の中間における第１側部領域３１の上縁部３１Ｔから上方に延設されていてもよい。この場合、第１側部非接着部３１ｎは、図９に示すように、摘み代非接着部５ｎに連設されていると共に、摘み代部５の幅と略同幅で且つ摘み代部５の延出方向と反対方向に拡がるように設けられていることが好ましい。このように第１側部非接着部３１ｎを設けることにより、第１側部領域３１の側縁３１ａを含む側部３１ｂの裏面には、上縁部３１Ｔから下縁部３１Ｌに亘って帯状の粘着部４が形成されるので、巻付けラベル１を容器２に巻き付ける当初に第１側部領域３１の側部３１ｂの全体を容器２に貼り付けることができる。
もっとも、第１側部非接着部３１ｎは、第１側部領域３１の側縁３１ａから摘み代部５の他方縁５ｂまでの幅と略同幅で且つ摘み代部５の延出方向と反対方向に拡がるように設けられていてもよい。
【００６１】
また、図１０に示すように、摘み代部５は、その一方縁５ａが第１側部領域３１の側縁３１ａと第１切取用補助線６１の間に位置し且つその他方縁５ｂが第１切取用補助線６１に略一致するように、第１側部領域３１の上縁部３１Ｔから上方に延設されていてもよい。この場合も、図９に示した第１側部非接着部３１ｎと同様の理由から、第１側部非接着部３１ｎは、摘み代非接着部５ｎに連設されていると共に、摘み代部５の幅と略同幅で且つ摘み代部５の延出方向と反対方向に拡がるように設けられていることが好ましい。
【００６２】
その他、摘み代部５の一方縁５ａが第１側部領域３１の側縁３１ａと略一致し且つその他方縁５ｂが第１切取用補助線６１に略一致するように、摘み代部５が第１側部領域３１の上縁部３１Ｔから上方に延設されていてもよい。
また、第１側部非接着部３１ｎが、第１側部領域３１の側縁３１ａから第１切取用補助線６１までの長さと略同幅で且つ摘み代部５の延出方向と反対方向に拡がるように設けられていてもよい。このような第１側部非接着部３１ｎが設けられる場合であっても、摘み代部５は、その一方縁５ａが第１側部領域３１の側縁３１ａと略一致し且つその他方縁５ｂが第１切取用補助線６１に略一致するように延設されていてもよいし、或いは、図５、図９又は図１０のように延設されていてもよい。
【００６３】
さらに、上記実施形態のラベル付き包装体１０は、第１側部領域３１の側縁３１ａが第２切取用補助線６２に一致又はその近傍に位置し且つ第２側部領域３２の側縁３２ａが第１切取用補助線６１に一致又はその近傍に位置して、第２側部領域３２が第１側部領域３１に重ねられているが、これに限定されない。
例えば、図１１に示すように、第２側部領域３２の側部３２ｂが第１切取用補助線６１上を覆い且つ第２切取用補助線６２が第１側部領域３１の側部３１ｂ上に位置するように、第２側部領域３２が第１側部領域３１に重ねられていてもよい。この場合、第２側部領域３２の側部の面内に、第１切取用補助線６１上に一致する第３切取用補助線６３を形成しておくことが好ましく、同様に、第１側部領域３１の側部の面内に、第２切取用補助線６２に一致する第４切取用補助線６４を形成しておくことが好ましい。
【００６４】
また、第１側部領域３１の側縁３１ａが第２切取用補助線６２に一致又はその近傍に位置し且つ第２側部領域３２の側部３２ｂが第１切取用補助線６１上を覆うように、第２側部領域３２が第１側部領域３１に重ねられていてもよい。或いは、第２側部領域３２の側縁３２ａが第１切取用補助線６１に一致又はその近傍に位置し且つ第２切取用補助線６２が第１側部領域３１の側部３１ｂ上に位置するように、第２側部領域３２が第１側部領域３１に重ねられていてもよい。
【００６５】
また、上記実施形態の巻付けラベル１においては、中間領域３３の裏面全体に粘着部４が設けられているが、例えば、図１２に示すように、中間領域３３の裏面のうち中央部を除いた裏面に、粘着部４が設けられていてもよい。中間領域３３の粘着部４は、オーバーラップ領域１１を切り取った後に、中間領域３３が容器２から外れないような範囲に設けられていればよい。もっとも、摘み代部５を引き出したときに、第１切取用補助線６１及び第２切取用補助線６２に沿って切れ易くするため、中間領域３３の粘着部４は、図１２に示すように、第１切取用補助線６１及び第２切取用補助線６２を含む上下方向に延びる帯状範囲に少なくとも設けられていることが好ましい。
【産業上の利用可能性】
【００６６】
本発明のラベル付き包装体は、医薬品、食品、化粧品類などの様々な商品の包装に利用できる。
【符号の説明】
【００６７】
１…巻付けラベル、２…容器（商品）、３…基材、３１…第１側部領域、３１ａ…第１側部領域の側縁、３１ｎ…第１側部非接着部、３２…第２側部領域、３２ａ…第２側部領域の側縁、３３…中間領域、４…粘着部、５…摘み代部、５ｎ…摘み代非接着部、６１…第１切取用補助線、６２…第２切取用補助線、Ａ…印刷領域、Ｂ…特定印刷領域、１０…ラベル付き包装体
【図１】
2012093502.tif 000003
【図２】
2012093502.tif 000004
【図３】
2012093502.tif 000005
【図４】
2012093502.tif 000006
【図５】
2012093502.tif 000007
【図６】
2012093502.tif 000008
【図７】
2012093502.tif 000009
【図８】
2012093502.tif 000010
【図９】
2012093502.tif 000011
【図１０】
2012093502.tif 000012
【図１１】
2012093502.tif 000013
【図１２】
2012093502.tif 000014